(57)【要約】【課題】無線ネットワーキングに対するＤＣ除去技術。【解決手段】無線通信装置（ＷＣＤ）（１０）は、比較的大きなＤＣ成分を取り除く粗いＤＣ除去ユニット（３６）および残留ＤＣ成分を取り除く細かいＤＣ除去ループ（４２）を用いて受信された信号でＤＣ除去を実行する。粗いＤＣ除去ユニット（３６）は受信機（２２）の中で実現することができ、細かいＤＣ除去ループ（４２）はモデム（２６）の中で実現することができる。さらに、モデム（２６）に実現された粗いＤＣ推定ループ（４４）は粗いＤＣ除去ユニット（３６）に接続されてよく、ＤＣ除去ユニット（３６）に保持されるＤＣオフセットの値を更新する。受信機に粗いＤＣオフセットの値を局所的に保持することによって、ＤＣ除去を大変素早く達成することができる。
2005524272.tif 000002
【特許請求の範囲】
【請求項１】
第１の受信されたパケットに関連したベースバンド信号に対してＤＣオフセットの値を推定することと、
推定されたＤＣオフセットの値で受信機のメモリを更新することと、そして
メモリに保持された推定されたＤＣオフセットの値に従って第２の受信されたパケットに関連したベースバンド信号からＤＣオフセットを取り除くこととを具備する方法。
【請求項２】
複数の利得状態から選択された一つに従って第１の受信されたパケットを処理することと、選択された利得状態に関連するメモリを更新することと、そして選択された利得状態に従って第２の受信されたパケットを処理することとを更に具備する請求項１記載の方法。
【請求項３】
第３の受信されたパケットに関連したベースバンド信号に対してＤＣオフセットの値を推定することであって、第３の受信されたパケットは第１の受信されたパケットとは異なる利得状態に従って処理されるＤＣオフセットの値を推定することと、
第３の受信されたパケットに関連したベースバンド信号に対して推定されたＤＣオフセットの値で受信機のメモリを更新することであって、第３の受信されたパケットに関連したベースバンド信号に対して推定されたＤＣオフセットの値で更新されたメモリは異なる利得状態と関連させられている受信機のメモリを更新することと、そして
異なる利得状態と関連したメモリの中の推定されたＤＣオフセットの値に従って、第４の受信されたパケットに関連したベースバンド信号からＤＣオフセットを取り除くこととを更に具備する請求項２記載の方法。
【請求項４】
受信機のメモリの中の複数の利得状態に対応する複数のＤＣオフセットの値を保持することを更に具備する請求項１記載の方法。
【請求項５】
選択された利得状態に従って受信されたベースバンド信号を処理した後に選択された利得状態に対応するＤＣオフセットの値を更新することを更に具備する請求項４記載の方法。
【請求項６】
残留ＤＣの除去ループを用いて第２の受信されたパケットに関連したベースバンド信号から残留ＤＣオフセットを取り除くことを更に具備する請求項１記載の方法。
【請求項７】
ＲＦトレーニングの期間の後に残留ＤＣの除去ループの利得を調節することを更に具備する請求項６記載の方法。
【請求項８】
メモリに保持された推定されたディジタルのＤＣオフセットの値に従って受信されたパケットに関連したアナログのベースバンド信号からＤＣオフセットを取り除くことと、
残留ＤＣの除去ループを用いてベースバンド信号のディジタル表現から残留ＤＣオフセットを取り除くこととを具備する方法。
【請求項９】
アナログのベースバンド信号からＤＣオフセットを取り除くことが、保持されたディジタルのＤＣオフセットの値をアナログのＤＣオフセットの信号に変換することとアナログのベースバンド信号からアナログのＤＣオフセットの信号を取り除くことを具備する請求項８記載の方法。
【請求項１０】
複数の異なる利得状態に対応する複数のＤＣオフセットの値を保持することと、
複数の利得状態から選択された一つに従ってパケットに関連した受信されたベースバンド信号を処理することと、そして
選択された利得状態に対応する保持されたＤＣオフセットの値に従って受信されたベースバンド信号からＤＣオフセットを取り除くこととを具備する方法。
【請求項１１】
残留ＤＣの除去ループを用いてベースバンド信号のディジタル表現から残留ＤＣオフセットを取り除くことを更に具備する請求項１０記載の方法。
【請求項１２】
受信されたベースバンド信号に関連したＤＣオフセットを推定することと、そして
推定されたＤＣオフセットに基づいて選択された利得状態と関連した保持されたＤＣオフセットの値を更新することとを更に具備する請求項１０記載の方法。
【請求項１３】
受信されたベースバンド信号は第１の受信されたパケットに関連した第１の受信されたベースバンド信号であって、前記方法は複数の利得状態から選択された一つに従って第２の受信されたパケットに関連した第２の受信されたベースバンド信号を処理することと、選択された利得状態と関連した更新された値に従って第２の受信されたベースバンド信号からＤＣオフセットを取り除くこととを更に具備する請求項１２記載の方法。
【請求項１４】
粗いＤＣオフセットの値を保持するメモリを含み、その保持されたＤＣオフセットの値に従ってベースバンド信号からＤＣオフセットを取り除く受信機と、
前記受信機に接続され、前記ベースバンド信号に関連した残留ＤＣオフセットを推定し、前記受信機に保持されたＤＣオフセットの値を更新するモデムとを具備する無線通信装置。
【請求項１５】
前記メモリは複数の利得状態と関連した複数の粗いＤＣオフセットの値を保持し、前記受信機は選択された利得状態と関連した保持されたＤＣオフセットの値に従ってベースバンド信号からＤＣオフセットを取り除き、そして前記モデムはベースバンド信号に関連した残留ＤＣオフセットを推定し選択された利得状態に対して前記受信機において保持されるＤＣオフセットの値を更新する請求項１４記載の無線通信装置。
【請求項１６】
前記モデムはベースバンド信号のディジタル表現から残留ＤＣオフセットを取り除く細かいＤＣ除去ユニットを含む請求項１４記載の無線通信装置。
【請求項１７】
前記粗いＤＣオフセットの値はディジタル値であり、前記受信機はディジタル値をアナログ値に変換することとベースバンド信号から変換されたアナログ値を取り除くこととによって、保持されたＤＣオフセットの値に従ってベースバンド信号からＤＣオフセットを取り除く請求項１４記載の無線通信装置。
【請求項１８】
粗いＤＣオフセットの値のディジタル表現を保持するメモリと保持されたディジタル表現をアナログのＤＣオフセットの信号に変換するＤＣディジタル−アナログ変換器とパケットに関連した受信されたベースバンド信号から前記アナログのＤＣオフセットの信号を取り除く差動増幅器とを含む受信機と、
前記受信機に接続され、前記ベースバンド信号をディジタルのベースバンド信号に変換し、前記ディジタルのベースバンド信号に関連した残留ＤＣオフセットを推定し、前記受信機に保持されたディジタルのＤＣオフセットの値を更新するモデムとを具備する無線通信装置。
【請求項１９】
前記メモリは複数の利得状態に関連した複数の粗いＤＣオフセットの値のディジタル表現を保持し、前記受信機は選択された利得状態と関連した保持されたＤＣオフセットの値に従ってベースバンド信号からＤＣオフセットを取り除き、そして前記モデムはディジタルのベースバンド信号に関連した残留ＤＣオフセットを推定し選択された利得状態に関連したＤＣオフセットの値の保持されたディジタル表現を更新する請求項１８記載の無線通信装置。
【請求項２０】
粗いＤＣオフセットの値のディジタル表現を保持するメモリと、
保持されたディジタル表現をアナログのＤＣオフセットの信号に変換するＤＣディジタル−アナログ変換器と、
パケットに関連した受信されたベースバンド信号からアナログのＤＣオフセットの信号を取り除く差動増幅器とを具備する受信機。
【請求項２１】
前記メモリは複数の利得状態に関連した複数の粗いＤＣオフセットの値のディジタル表現を保持し、前記受信機は選択された利得状態に関連した保持されたＤＣオフセットの値に従ってベースバンド信号からＤＣオフセットを取り除く請求項２０記載の受信機。
【請求項２２】
第１のパケットに関連したベースバンド信号のディジタル表現から残留ＤＣオフセットを取り除く細かいＤＣ除去ユニットと、
前記残留ＤＣオフセットを推定し第２のパケットを処理するのに使用するために受信機にその推定値を送る粗いＤＣ推定器とを具備するモデム。
【請求項２３】
受信機に接続され、第１の受信されたパケットに関連したベースバンド信号に対してＤＣオフセットの値を推定し、その推定されたＤＣオフセットの値で前記受信機の局所メモリを更新し、
前記受信機は局所メモリに保持された前記推定されたＤＣオフセットの値に従って第２の受信されたパケットに関連したベースバンド信号からＤＣオフセットを取り除く、モデムを具備する無線通信装置。
【請求項２４】
第１の受信されたパケットは複数の利得状態から選択された一つに従って処理され、更新された局所メモリは選択された利得状態に関連づけられていて、第２の受信されたパケットは選択された利得状態に従って処理される請求項２３記載の無線通信装置。
【請求項２５】
前記モデムが第３の受信されたパケットに関連したベースバンド信号に対してＤＣオフセットの値を推定し、第３の受信されたパケットは第１の受信されたパケットとは異なる利得状態に従って処理され、前記モデムは第３の受信されたパケットに関連したベースバンド信号に対して推定されたＤＣオフセットの値で前記受信機の局所メモリを更新し、第３の受信されたパケットに関連したベースバンド信号に対して推定されたＤＣオフセットの値で更新された前記局所メモリは異なる利得状態と関連づけられていて、前記受信機は異なる利得状態と関連した局所メモリのなかの推定されたＤＣオフセットに従って第４の受信されたパケットと関連したベースバンド信号からＤＣオフセットを取り除く請求項２４記載の無線通信装置。
【請求項２６】
メモリに保持される推定されたディジタルのＤＣオフセットの値に従って受信されたパケットと関連したアナログのベースバンド信号からＤＣオフセットを取り除く受信機と、
残留ＤＣの除去ループを用いてベースバンド信号のディジタル表現から残留ＤＣオフセットを取り除くモデムとを具備する無線通信装置。
【請求項２７】
前記受信機は、保持されたディジタルのＤＣオフセットの値をアナログのＤＣオフセットの信号に変換することと、アナログのベースバンド信号からアナログのＤＣオフセットの信号を取り除くこととによってアナログのベースバンド信号からＤＣオフセットを取り除く請求項２６記載の無線通信装置。
【請求項２８】
複数の異なる利得状態に対して複数のＤＣオフセットの値を保持し、複数の利得状態の選択された一つに従ってパケットに関連した受信されたベースバンド信号を処理し、選択された利得状態に関連した保持されたＤＣオフセットの値に従って受信されたベースバンド信号からＤＣオフセットを取り除く受信機を具備する無線通信装置。
【請求項２９】
残留ＤＣの除去ループを用いてベースバンド信号のディジタル表現から残留ＤＣオフセットを取り除く受信機に接続されたモデムを更に具備する請求項２８記載の無線通信装置。
【請求項３０】
前記モデムは受信されたベースバンド信号に関連した推定されたＤＣオフセットに基づいて選択された利得状態と関連した保持されたＤＣオフセットの値を更新する請求項２８記載の無線通信装置。
【請求項３１】
第１の受信されたパケットに関連したベースバンド信号に対してＤＣオフセットの値を推定するための手段と、
推定されたＤＣオフセットの値で受信機のメモリを更新するための手段と、
メモリに保持された推定されたＤＣオフセットの値に従って第２の受信されたパケットに関連したベースバンド信号からＤＣオフセットを取り除くための手段とを具備する装置。
【請求項３２】
メモリに保持された推定されたディジタルのＤＣオフセットの値に従って受信されたパケットに関連したアナログのベースバンド信号からＤＣオフセットを取り除くための手段と、
残留ＤＣの除去ループを用いてベースバンド信号のディジタル表現から残留ＤＣオフセットを取り除くための手段とを具備する装置。
【請求項３３】
複数の異なる利得状態に対して複数のＤＣオフセットの値を保持するための手段と、
複数の利得状態から選択された一つに従ってパケットに関連した受信されたベースバンド信号を処理するための手段と、
選択された利得状態に関連した保持されたＤＣの値に従って受信されたベースバンド信号からＤＣオフセットを取り除くための手段とを具備する装置。
【請求項３４】
第１の受信されたパケットに関連したベースバンド信号に対してＤＣオフセットの値を推定することと、
推定されたＤＣオフセットの値に従って第２の受信されたパケットに関連したベースバンド信号からＤＣオフセットを取り除くこととを具備する方法。
【請求項３５】
第２の受信されたパケットに関連したベースバンド信号に対してＤＣオフセットの値を推定することと、
第２の受信されたパケットに関連した推定されたＤＣオフセットの値に従って第３の受信されたパケットに関連したベースバンド信号からＤＣオフセットを取り除くこととを更に具備する請求項３４記載の方法。
【請求項３６】
第３の受信されたパケットに関連したベースバンド信号に対してＤＣオフセットの値を推定することと、
第３の受信されたパケットに関連した推定されたＤＣオフセットの値に従って第４の受信されたパケットに関連したベースバンド信号からＤＣオフセットを取り除くこととを更に具備する請求項３５記載の方法。
【請求項３７】
選択された利得状態の表示を保持するための利得状態ユニットと、受信されたＲＦ信号をベースバンド信号に変換するためのミキサと、ベースバンド信号からＤＣオフセットを取り除くための粗いＤＣ除去ユニットとを含む受信機と、
ベースバンド信号をディジタルのサンプルに変換するためのアナログ−ディジタル変換器と、ディジタルのサンプルから残留ＤＣオフセットを取り除くための細かいＤＣ除去ユニットと、残留ＤＣオフセットを推定し粗いＤＣ除去ユニットを更新するための粗いＤＣ推定器と、ベースバンドのサンプルを調整するためのディジタル可変利得増幅器と、ベースバンドのサンプルを復調するための復調ユニットとを含む前記受信機に接続されたモデムと、
を具備する装置。
【請求項３８】
粗いＤＣ除去ユニットは複数の利得状態に対してＤＣオフセットの値を保持するためのメモリを含み、ＤＣ除去ユニットはベースバンド信号を処理するために用いられた選択された利得状態に対応する保持されたＤＣオフセットの値に従ってベースバンド信号からＤＣオフセットを取り除く請求項３７記載の装置。
【請求項３９】
細かいＤＣ除去ユニットは、ディジタルのサンプルに対するＤＣオフセットの値の推定値を累算しディジタルのサンプルからその累算値に関連した値を取り除くＤＣの除去ループを用いてディジタルのサンプルから残留ＤＣオフセットを取り除く請求項３７記載の装置。
【請求項４０】
粗いＤＣ推定器はディジタルのサンプルと関連したＤＣオフセットの値を累算することによって残留ＤＣオフセットを推定し、受信機とモデムを接続するシリアルバスインターフェイスを介して粗いＤＣ除去ユニットを更新する請求項３７記載の装置。
【発明の詳細な説明】
【技術分野】
【０００１】
この開示は無線通信、そしてより詳細には無線ローカルエリアネットワーク（ＷＬＡＮ）システムに関する。
【背景技術】
【０００２】
無線ネットワークは計算装置が無線通信を介して情報及び資源を共有することを可能にする。無線ネットワークで使用される計算装置の例は、ラップトップ或いはデスクトップコンピュータ、個人ディジタルアシスタント（ＰＤＡｓ）、セルラー無線電話や衛星無線電話のような移動電話、データ端末、データ収集装置、個人ディジタルアシスタント（ＰＤＡｓ）そして他のポータブル（ｐｏｒｔａｂｌｅ）及び非ポータブルな計算装置を含む。無線ネットワーキング（ｎｅｔｗｏｒｋｉｎｇ）を促進するために開発された標準（ｓｔａｎｄａｒｄｓ）の一つの広い群はＩＥＥＥ８０２．１１標準で示される。当初のＩＥＥＥ８０２．１１標準は、２．４−２．４８３ギガヘルツ（ＧＨｚ）周波数帯（今後２．４ＧＨｚ帯）で毎秒１−２メガビット（Ｍｂｐｓ）のデータ転送レートを規定する。しかしながら、データ転送レートを増大させる努力の中で当初のＩＥＥＥ８０２．１１標準に対するいくつかの拡張が開発されている。
【０００３】
ＩＥＥＥ８０２．１１ｂ標準（しばしば８０２．１１無線忠実度（ｆｉｄｅｌｉｔｙ）或いは８０２．１１ワイファイ（Ｗｉ−Ｆｉ）として呼ばれる）はＩＥＥＥ８０２．１１標準の拡張であり、２．４ＧＨｚ帯で１１Ｍｂｐｓの伝送（５．５、２．０そして１．０Ｍｂｐｓへの低下も伴う）を規定する。ＩＥＥＥ８０２．１１ｂ標準は１．０Ｍｂｐｓ伝送に対して２相位相変調（ＢＰＳＫ）を利用し、２．０、５．５及び１１．０Ｍｂｐｓ伝送に対して４相位相変調（ＱＰＳＫ）を利用する。５．０及び１１．０Ｍｂｐｓ伝送レートに対する２．４ＧＨｚ帯での多チャンネル動作を達成するために、８０２．１１ｂによって相補符号変調（ＣＣＫ）技術もまた用いられる。
【０００４】
ＩＥＥＥ８０２．１１ｇ標準はＩＥＥＥ８０２．１１標準の別の拡張である。ＩＥＥＥ８０２．１１ｇ標準は５４Ｍｂｐｓまでのレートでのデータ伝送を提供するために２．４ＧＨｚ周波数帯において直交周波数分割多重（ＯＦＤＭ）を利用する。ＩＥＥＥ８０２．１１ｇ標準はまた８０２．１１ｂネットワークに対する後方能力（ｂａｃｋｗａｒｄｓ  ｃａｐａｂｉｌｉｔｙ）を提供する。ＩＥＥＥ８０２．１１ａ標準はＩＥＥＥ８０２．１１標準の拡張であり、５４Ｍｂｐｓまでのレートでのデータ伝送を提供するために５ＧＨｚ周波数帯においてＯＦＤＭを利用する。これら及び他の無線ネットワークが開発されている。他のＷＬＡＮ標準と同様にＩＥＥＥ８０２．１１標準への更なる拡張が将来現れるであろう。
【０００５】
無線ネットワークは、無線及び／又は有線ネットワークとインターフェイスする一つ或いはそれ以上のアクセスポイントを含んでかまわない。アクセスポイントはまた、無線ネットワークの地理的規模を拡大するために他のアクセスポイントと無線でインターフェイスしてよい。更に、無線環境（ｓｅｔｔｉｎｇ）でのデータの経路設定（ｒｏｕｔｉｎｇ）機能を実行するために無線ネットワークにおいて無線ルータ（ｒｏｕｔｅｒｓ）が用いられてよい。しばしば、無線ルータとアクセスポイントの両者は比較的大きな無線ネットワーク環境を形成するために一緒に用いられる。
【０００６】
無線ネットワーキングの標準をサポートする無線通信装置は、音声通信に通常用いられる標準のような他の通信標準もサポートしてよい。音声通信標準は、周波数分割多元接続（ＦＤＭＡ）、時分割多元接続（ＴＤＭＡ）、そして様々なスペクトル拡散技術のような多様な変調技術の一つ或いはそれ以上に基づいていてかまわない。無線音声通信で用いられる一つの一般的なスペクトラム拡散技術は符号分割多元接続（ＣＤＭＡ）信号変調である。ＣＤＭＡでは、多元通信はスペクトラム拡散無線周波数（ＲＦ）信号上を同時に送信される。他の無線通信システムは異なる変調技術を用いてよい。例えば、ＧＳＭシステムはＴＤＭＡ及びＦＤＭＡ変調技術の組み合わせを使用する。１．８ＧＨｚ及び１．９ＧＨｚでそれぞれ動作するＤＣＳ１８００及びＰＣＳ１９００システムを含んだ、ＧＳＭシステムに関連した他のシステムにおいてもこれらの技術は使用される。
【０００７】
無線の仕様によって課せられた制約に従って、ＷＬＡＮシステムの信号は殆どの音声通信システムと関連した信号よりもより素早く捕捉される必要があるかもしれない。例えば、８０２．１１ｂＷＬＡＮシステムにおいては、データパケットは約５６マイクロ秒（μｓ）の同期プリアンブル（ｐｒｅａｍｂｌｅ）によって先導される。この５６μｓのプリアンブルのなかで、無線通信装置（ＷＣＤ）は復調器を同期するために約３６μｓが割り当てられてよい。しかしながら、復調器が同期される前に、ＷＣＤは受信された信号からＤＣ成分を除去する仕事を含んだ数多くの仕事を実行する必要があるだろう。音声通信で用いられる従来のＤＣ除去技術は、受信された信号の連続的なモニタリング（ｍｏｎｉｔｏｒｉｎｇ）、ＤＣオフセット（ｏｆｆｓｅｔ）の推定、そしてＤＣ除去を促進する閉ループフィードバックを通常提供する。しかしながら、音声通信システムで通常使用される従来の技術は、ＷＬＡＮシステムによって課せられる時間的制約を満たすには十分な速さを欠いているだろう。
【発明の開示】
【０００８】
［サマリー］
ある実施例において、無線通信装置（ＷＣＤ）はモデムに接続された受信機を含む。受信機のメモリに局所的に保持された推定されたＤＣオフセットの値を呼び出すことによって、受信機は受信されたパケットに関連したアナログベースバンド信号から素早くＤＣを取り除くことが出来る。残留ＤＣの除去ループを用いて、モデムはベースバンド信号のディジタル表現から残留ＤＣを取り除いてよい。さらに、モデムは残留ＤＣオフセットを推定し、受信機のメモリを更新してよく、その結果受信機はその後受信されるアナログベースバンド信号からより適切な量のＤＣを取り除くことが出来る。
【０００９】
様々な実施例がソフトウェア、ハードウェア、ファームウェア、及びそれらの任意の組み合わせで実現されてよい。様々な実施例の更なる詳細は添付する図面及び以下の記載で示される。他の特徴、目的及び利点は説明及び図面から、そして特許請求の範囲から明らかとなるだろう。
【００１０】
［詳細な説明］
一般に、この開示は、無線データ通信と関連づけられた様々な信号処理の仕事を実行するために構成された無線通信装置を説明する。より詳細には、無線ＬＡＮ（ＷＬＡＮ）受信機を含んだ無線通信装置（ＷＣＤ）はパケット毎（ｐａｃｋｅｔ−ｂｙ−ｐａｃｋｅｔ）の原則に基づいて大変素早くＤＣ除去を実行してよい。ＷＣＤの受信機は、以前に受信されたパケットに関連したベースバンド信号を処理する間に推定されたＤＣオフセットの値を保持してよい。これらの局所的に保持されたＤＣオフセットの値は、今後受信されるパケットに関連して入ってくるベースバンド信号から比較的大きなＤＣオフセットを素早く取り除くために受信機によって使用され得る。結果として、ＤＣ除去はより素早く実行することができ、ＷＬＡＮ受信機において捕捉時間は短縮されるだろう。
【００１１】
受信されたベースバンド信号の処理の間、モデム（変調器／復調器）はＤＣオフセットを推定してよく、そして受信機で局所的に保持されたＤＣオフセットの値を更新するためにその推定値を使用してよい。いくつかの場合、受信された信号は複数の利得状態（ｇａｉｎ  ｓｔａｔｅｓ）のうちの一つに従って処理されるだろう。その場合、利得状態のそれぞれに対してＤＣオフセットの値は受信機で保持されてよい。従って、異なるＤＣオフセットは、受信されたベースバンド信号それぞれに関連した利得状態に依存して受信機で除去されてよい。言い換えると、パケットが受信されたとき、複数の利得状態のうちの一つに従って処理されてよく、選択された利得状態と関連した局所的に保持されたＤＣオフセットの値はＤＣを大変素早く除去するためにパケットと関連したベースバンド信号に適用することができる。
【００１２】
ミキシング（ｍｉｘｉｎｇ）過程（しばしばダウンコンバージョン（ｄｏｗｎ  ｃｏｎｖｅｒｓｉｏｎ）と呼ばれる）の間にベースバンド信号にかなりのＤＣオフセットがもたらされる可能性があるのでＤＣ除去は一般に必要である。その上、ＷＬＡＮの環境では受信信号は一般に一定の信号ではなく、むしろ受信されるパケットは時間的に離されている。このためＤＣ除去はＷＬＡＮの環境での大きな挑戦を提供する。なぜなら、ミキサのようなＷＣＤの信号処理構成要素の温度変化はベースバンド信号にもたらされるＤＣの量にかなり影響を与えることができるからである。さらに、システムによってもたらされるＤＣの量はパケットの組が受信される時刻の間で大きく変化してよい。ＤＣ除去はＤＣ除去のために割り当てられている時間が大変短い無線標準を実現する環境においては特に挑戦的なものとなり得る。ＩＥＥＥ８０２．１１ｂ、ＩＥＥＥ８０２．１１ａ、そしてＩＥＥＥ８０２．１１ｇ標準はそのような無線標準の３つの例である。
【００１３】
以下により詳細に説明するように、ＷＣＤは残留ＤＣ成分を除去するための細かい（ｆｉｎｅ）ＤＣ除去技術と同様に、比較的大きなＤＣ成分を除去するための粗い（ｃｏａｒｓｅ）ＤＣ除去技術を実現してよい。粗いＤＣ除去は、受信機チップに組み込まれたメモリ、ＤＣディジタル−アナログ変換器（ＤＡＣ）そして差動（ｄｉｆｆｅｒｅｎｃｅ）増幅器を用いて達成できる。細かいＤＣ除去は、モデムチップでのＤＣ推定及び除去ループを用いて達成できる。受信機メモリに保持される粗いＤＣの値を更新するために使用される推定値はまたモデムチップにおいて計算できる。それゆえ、更新は受信機チップにおいてシリアル（ｓｅｒｉａｌ）バス（ｂｕｓ）を介してモデムチップから粗いＤＣ除去のユニットへと周期的に送られるだろう。
【００１４】
技術は、受領通知されるまで再送する（ｒｅｓｅｎｄ−ｕｎｔｉｌ−ａｃｋｎｏｗｌｅｄｇｅｄ）プロトコルに従って動作する無線ネットワーキングの実行（ｐｒａｃｔｉｃｅｓ）を開発するだろう。それに応じて受信されたパケットを処理することができ、そしてその処理の間、粗いＤＣ除去のユニットを更新することができる。受信されたパケットと関連したベースバンド信号のＤＣオフセットが大きすぎると、モデムのアナログ−ディジタル変換器は受信されたパケットの処理の間に飽和する（ｓａｔｕｒａｔｅ）かもしれない。その場合、パケットの処理は一般にエラーを出力する（ｅｒｒｏｒ−ｏｕｔ）。しかしながら、ＷＣＤはエラーを出力したパケットについて送り手に対して受領通知を返さないのでパケットは最終的には再送されるだろう。
【００１５】
結果として、送り手はパケットを再送するだろう。そしてそれは、ＤＣ成分のより適切な割合を除去するように入って来る信号を条件づける機会を提供する。その上、粗いＤＣ除去のユニットは最初のパケットを処理している間にＤＣオフセットの値を調節するために更新されるので、パケットのコピーが受信される次の時に、ＤＣの調節はベースバンド信号がＡ／Ｄ変換器の処理範囲内に収まることを保証する見込みがよりあるものとなるだろう。いくつかの場合、パケットがＡ／Ｄ変換器を飽和することなしに処理されることを可能にする範囲内に粗いＤＣの値がなるまで同じパケットが複数回受信される必要があるだろう。それにもかかわらす、“受領通知されるまで再送する”枠組みは粗いＤＣの値が受け入れられるまでパケットが送信され続けることを保証するべきである。重要なのは、受信機に局所的に保持された値を用いて、受信機チップでの粗いＤＣ除去はいくつかのＷＬＡＮシステムにおいて要請されるように大変素早く実行することができる。
【００１６】
以下で説明される技術は数多くの利点を生ずるだろう。例えば、受信機チップに局所的にＤＣオフセットの値を保持することによって、受信されたベースバンド信号でのＤＣ除去のためにかかる時間を著しく削減するためにその技術が使用されてよい。従って、単に、適当な保持されたＤＣオフセットの値を選択すること、そして受信されたパケットと関連した受信されたベースバンド信号からその値を除去することによって、粗いＤＣ除去は大変素早く実行することができる。このことは、信号同期のために割り当てられている時間の長さが極端に短いＩＥＥＥ８０２．１１ａ、ＩＥＥＥ８０２．１１ｂ、そしてＩＥＥＥ８０２．１１ｇのネットワークのような無線ネットワークに対して特に重要である。それゆえ、ＤＣ除去に関係した時間を削減するためにその技術が使用されてよい。
【００１７】
また、以下でさらに詳細に説明される追加的な技術は、モデムと受信機の間で更新されたＤＣの値を転送するために必要とされるシリアル線の数を減らすことによって構成を簡単にすることができる。いずれの場合でも、その値は受信機によって局所的に呼び出すことができ、そうでなければモデムとの通信のために必要となるシステムバスのクロック周期の消費を削減する。さらに、残留ＤＣの除去ループにおける累積が異なるレートでＲＦトレーニング（ｔｒａｉｎｉｎｇ）の間及び後に生ずるというような、ＤＣオフセットの推定を改善するための技術も説明される。そのような技術は復調された信号の実際の信号対雑音比を改善することができる。
【００１８】
図１は、まとめて無線通信装置１０と呼ばれるいくつかの無線通信装置１０Ａ−１０Ｃを含んだ無線通信システム２を示すブロック図である。無線通信装置（ＷＣＤｓ）１０は無線ネットワーキングをサポートするように構成された任意の移動可能な計算装置であってよい。各装置は、例えば、ウィンドウズ（登録商標）（Ｗｉｎｄｏｗｓ（登録商標）ＴＭ）、マッキントッシュ（ＭａｃｉｎｔｏｓｈＴＭ）、Ｕｎｉｘ（登録商標）、或いはリナックス（Ｌｉｎｕｘ）環境で動作するデスクトップコンピュータ或いは移動可能なコンピュータ、パーム（ＰａｌｍＴＭ）、ウィンドウズ（登録商標）ＣＥ（Ｗｉｎｄｏｗｓ（登録商標）ＣＥ）、或いは小型携帯装置のための同様なオペレーティングシステムの環境に基づいた個人ディジタルアシスタント（ＰＤＡ）、或いは移動無線電話、双方向（ｉｎｔｅｒａｃｔｉｖｅ）テレビ、無線データ端末、無線データ収集装置、インターネットキオスク（ｋｉｏｓｋ）、家庭環境のためのネットワーク対応可能な（ｎｅｔｗｏｒｋ−ｒｅａｄｙ）電気製品、無線サーバ（ｓｅｒｖｅｒ）、等のような他の無線装置であってよい。
【００１９】
ＷＣＤｓ１０は無線信号８Ａ−８Ｄ（今後無線信号８）を介して無線通信システム２において互いに通信する。特に、ＷＣＤｓ１０は例えば標準のＩＥＥＥ８０２．１１の群のなかの標準の一つである無線の標準によって規定されたプロトコルのような無線プロトコルに従って通信してよい。無線信号８は無線アクセスポイント１１Ａ及び１１Ｂによって、それぞれのＷＣＤｓ１０へそしてそれぞれのＷＣＤｓ１０から送られてよい。アクセスポイント１１は、ローカルエリアネットワーク、ワイドエリアネットワーク、或いはインターネットのようなグローバルなネットワークのようなネットワーク１４へ有線のコネクションを有してもよい。
【００２０】
さらに、システム２内の一つ或いはそれ以上のＷＣＤｓ１０は一つ或いはそれ以上の音声通信の標準をサポートするように構成されてよい。例えば、一つ或いはそれ以上の基地局４はＣＤＭＡ技術、ＦＤＭＡ技術、ＴＤＭＡ技術、様々な組み合わされた技術、等のような音声通信技術を介してＷＣＤ１０Ａに音声データ９を伝えてよい。例えば、一つ或いはそれ以上のＷＣＤｓ１０は、（１）“双モードワイドバンドスペクトラム拡散セルラーシステムのためのＴＩＡ／ＥＩＡ−９５−Ｂ移動局―基地局互換標準（ＴＩＡ／ＥＩＡ−９５−Ｂ  Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ）”（ＩＳ−９５標準）、（２）“双モードワイドバンドスペクトラム拡散セルラー移動局のためのＴＩＡ／ＥＩＡ−９８−Ｃ勧告された最小標準（ＴＩＡ／ＥＩＡ−９８−Ｃ  Ｒｅｃｏｍｍｅｎｄｅｄ  Ｍｉｎｉｍｕｍ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｍｏｂｉｌｅ  Ｓｔａｔｉｏｎ）” （ＩＳ−９８標準）、（３）“第３世代パートナーシップ計画（３ｒｄ  Ｇｅｎｅｒａｔｉｏｎ  Ｐａｒｔｎｅｒｓｈｉｐ  Ｐｒｏｊｅｃｔ）”（３ＧＰＰ）と名づけられた協会によって与えられた標準であって、文献番号３ＧＴＳ２５．２１１、３ＧＴＳ２５．２１２、３ＧＴＳ２５．２１３、そして３ＧＴＳ２５．２１４を含む文献のセットで具体化されている標準（Ｗ−ＣＤＭＡ標準）、（４）“第３世代パートナーシップ計画２（３ｒｄ  Ｇｅｎｅｒａｔｉｏｎ  Ｐａｒｔｎｅｒｓｈｉｐ  Ｐｒｏｊｅｃｔ２）”（３ＧＰＰ２）と名づけられた協会によって与えられた標準であって、“ｃｄｍａ２０００スペクトラム拡散システムのためのＴＲ−４５．５物理層標準（ＴＲ−４５．５  Ｐｈｙｓｉｃａｌ  Ｌａｙｅｒ  Ｓｔａｎｄａｒｄ  ｆｏｒ  ｃｄｍａ２０００  Ｓｐｒｅａｄ  Ｓｐｃｔｒｕｍ  Ｓｙｓｔｅｍｓ）”、“ｃｄｍａ２０００スペクトラム拡散システムのためのＣ．Ｓ０００５−Ａ上位層（３層）シグナリング標準（Ｃ．Ｓ０００５−Ａ  Ｕｐｐｅｒ  Ｌａｙｅｒ（Ｌａｙｅｒ３）  Ｓｉｇｎａｌｉｎｇ  Ｓｔａｎｄａｒｄ  ｆｏｒ  ｃｄｍａ２０００  Ｓｐｒｅａｄ  Ｓｐｃｔｒｕｍ  Ｓｙｓｔｅｍｓ）”、そして“Ｃ．Ｓ００２４  ＣＤＭＡ２０００  高レートパケットデータエアインターフェイス仕様（Ｃ．Ｓ００２４  ＣＤＭＡ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ）”を含む文献のセットで具体化されている標準（ＣＤＭＡ２０００標準）、（５）ＴＩＡ／ＥＩＡ−ＩＳ−８５６“ＣＤＭＡ２０００高レートパケットデータエアインターフェイス仕様（ＣＤＭＡ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ）”で文書化されたＨＤＲシステム、そして（６）他の標準、のような一つ或いはそれ以上のＣＤＭＡ標準をサポートするように設計されるだろう。さらに、ＷＣＤｓ１０は、例えばＤＣＳ１８００及びＰＣＳ１９００��準であるＧＳＭ標準或いは関連する標準のような他の標準をサポートするように設計されてもよい。ＧＳＭシステムはＦＤＭＡ及びＴＤＭＡ変調技術の組み合わせを使用する。ＷＣＤｓ１０は他のＦＤＭＡ及びＴＤＭＡ標準をサポートしてもよい。
【００２１】
図２は例示的なＷＣＤ１０のブロック図である。示されるように、ＷＣＤ１０は、受信機２２に接続されたアンテナ２０、シリアルバス２９及びアナログ伝送線３１を介して受信機２２に接続されたモデム（変調器／復調器）２６、そして受信機２２及びモデム２６の両方に接続された制御ユニット２４を含む。制御ユニット２４はモデム２６の一部を構成してもよいが、簡単のため別々に示されている。いくつかの場合、アンテナ２０はデュプレクサ（ｄｕｐｌｅｘｅｒ）（図示されず）に接続されてよく、デュプレクサは次に受信機２２及びＷＣＤ１０から送信される無線信号を生成する送信機（図示されず）の両方に接続されている。しかしがら簡単のため、デュプレクサ及び送信機は示されない。この開示においてモデムという用語は、変調、復調、或いは変調及び復調の両方を実行することができる構成要素或いは構成要素の集まりを指す。
【００２２】
ＩＥＥＥ８０２．１１ｂ無線ネットワーキング標準に従った装置によって一般に実現されるＢＰＳＫ或いはＱＰＳＫ変調方式、又はＩＥＥＥ８０２．１１ｇ無線ネットワーキング標準に従った装置によって一般に実現されるＯＦＤＭ変調方式、のような変調方式に従ってデータが変調される無線ＲＦ信号を受信機２２は受信する。いずれの場合でも、受信された情報は使用された変調方式に従って符号化されたデータパケットの形でやってくる。データをパケットに分割することは、送信装置に送信中に失われたか壊れたかもしれないそれらの個々のパケットのみを再送することを可能にすることを含んだいくつかの利点を有する。
【００２３】
無線ネットワークは通常“受領通知されるまで再送する”プロトコルに従って動作し、そこではＷＣＤ１０がパケットの受取を受領通知するまでパケットはＷＣＤ１０に再送される。以下に概説される技術は、受信されたパケットは保持されたＤＣオフセットの値を調節するために使用されてよいことを認めることによって、この“受領通知されるまで再送する”枠組みを利用してよく、その結果、より後に受信されるパケットは適切に処理され得る。言い換えると、ＤＣオフセットの値が最初のパケットが処理され得ることを保証するには十分正確でない場合は、受領通知されるまで再送する”枠組みはパケットの別のコピーが再び送られるのを保証することをその技術は認める。それゆえ、最初のパケットはＤＣオフセットの値を調節するために使用することができ、その結果十分なＤＣオフセットを除去することによってパケットの第二のコピーを適切に調整することができ、パケットが最終的には正しく受信及び処理されることを保証する。重要なことに、任意の与えられたパケットにＤＣ除去を実行するのにかかる時間は、ＤＣオフセットの情報を受信機２２に局所的に保持することができるので大幅に削減することができる。
【００２４】
受信機２２はアンテナ２０を介してＲＦ波形を受信する。ＲＦ波形にフィルタをかけ或いは調整し、波形をベースバンドに落とすためにミキサをかけることなどによって、通常受信機は受信された波形を調整する。ＩＥＥＥ８０２．１１ｂ無線ネットワークで使用される復調では、受信機２２は本技術分野で知られているようにＲＦ信号のＩ−及びＱ−成分に対してベースバンド信号を生成する。Ｉ−成分は複素波形の同相成分を指し、他方Ｑ−成分は複素波形の直交位相成分を指す。両方の場合において、受信機２２は複素波形のＩ−成分又はＱ−成分それぞれに対するベースバンド信号を復調のためにモデム２６に渡す。例えば、Ｉ−及びＱ−ベースバンド信号は受信機２２からモデム２６へアナログ伝送線３１を介して送られ得る。制御ユニット２４は受信されたパケットの処理を制御するため受信機２２及びモデム２６へコマンドを送ってもよい。
【００２５】
以下に概説される技術はＩ−及びＱ−ベースバンド信号の両方の処理のためにハードウェアで二重化されるだろう。しかしながら簡単のために、以下の記載は受信されたパケットと関連したベースバンド信号の処理を説明する。受信されたパケットと関連したベースバンド信号はＩ−或いはＱ−ベースバンド信号のいずれかに対応してよいことと、Ｉ−及びＱ−ベースバンド信号の両方を並列して処理するために同様な回路が複製されてよいことが理解される。他の標準に従って、単一のベースバンド信号が以下に概説されるように処理されてよく、或いは、信号の様々な成分を表す複数のベースバンド信号が以下に概説されるように処理されてよい。
【００２６】
モデム２６は受信されたベースバンド信号を復調する。使用されるデータレートでの符号化方式に依存して、モデム２６は処理速度を高めるためにパケットを符号化するのに使用される波形の冗長性を利用する復調技術を実行してよい。いずれの場合も、モデム２６はＷＣＤ１０のユーザに示すためのパケットのペイロード（ｐａｙｌｏａｄ）を引き出すために受信されたパケットを復調する。
【００２７】
図３はモデム２６に接続された受信機２４の一つの実現をより詳細に示したブロック図である。示されるように、受信機２４は受信されたパケットの処理のための利得状態を選択或いは保持する利得状態ユニット３２を含む。例えば、利得状態ユニット３２は受信されたパケットに関連するＲＦ信号の電力に基づいて複数の利得状態の一つを選択してよい。或いは、利得状態ユニット３２は選択された利得状態の表示（ｉｎｄｉｃａｔｉｏｎ）を受信及び保持してよい。例えば、適切な利得状態を選択するためにモデム２６から利得状態ユニット３２へシリアルバス２９を介して信号が送られ得るように、受信されたＲＦ信号の電力を推定するためにモデム２６において電力推定技術を実施することが出来る。
【００２８】
選択された利得状態は一つ或いはそれ以上の増幅器（示されず）及び場合によってはミキサ３４の利得を粗く規定する。例えば、より高い電力の信号がより低い利得状態に従って処理されてよく、他方、より低い電力の信号がより高い電力の利得状態に従って処理されてよい。ある実施例では、単一の利得状態が全てのパケットに対して使用されてよく、そして他の実施例では、電力レベルが変動する信号の処理を改善するためにいくつの利得状態が実現されてもよい。以下でより詳細に説明するように、ＤＣ推定技術は、ＤＣオフセットを推定し一つ或いはそれ以上の利得状態に対してＤＣオフセット情報で受信機２２の局所メモリを更新するために使用することが出来る。いくつかの場合、ＤＣオフセット情報は利得状態選択信号がモデム２６から利得状態ユニット３２へ送られるのと同じ時に更新することができる。
【００２９】
ミキサ３４はＲＦ信号を受信し、それをＩ−及びＱ−ベースバンド信号へ落とすようにミキサにかける。例えば、ミキサ３４はＷＣＤ１０の局所時計をタイミングの参照として利用する周波数シンセサイザ（ｓｙｎｔｈｅｓｉｚｅｒ）を実現してよい。このように，ミキサ３４は受信されたパケットに関連したベースバンド信号を生成するために受信されたＲＦ信号からＲＦキャリア成分を取り取り除くだろう。再び、以下の議論は受信されたパケットに関連したベースバンド信号の処理を説明するのであるが、Ｉ−及びＱ−ベースバンド信号両方のために二重化された回路が実現されてよいことが理解される。望まれるならば、受信機２２は、様々なフィルタ、増幅器等のような追加的な構成要素をまた含んでもよい。
【００３０】
粗いＤＣ除去ユニット３６は受信されたベースバンド信号に関連した推定されたＤＣオフセットを示す値を保持する。この理由のため、粗いＤＣ除去ユニット３６はいくつかのＷＬＡＮ標準によって課せられた時間制約の範囲で受信されたパケットと関連したベースバンド信号からＤＣ成分を素早く除去することが出来る。ＷＣＤ１０が多くの異なる利得状態に従って動作するならば、粗いＤＣ除去ユニット３６はそれぞれの利得状態と関連したＤＣオフセットの値を保持してよい。その場合、粗いＤＣ除去ユニット３６はベースバンド信号から適切な量のＤＣを取り除くために利得状態ユニット３２において選択され或いは保持された利得状態に従って適切なＤＣオフセットの値を選択してよい。
【００３１】
粗いＤＣ除去ユニット３６が受信されたパケットと関連したベースバンド信号の中からＤＣオフセットを除去している一方、ベースバンド信号は復調のためにモデム２６へ送られている。例えば、ベースバンド信号は受信機２２からモデム２６へアナログ伝送線３１を介して送られ得る。受信機２２及びモデム２６はまたシリアルバス２９によって一緒に接続されてよい。従って、受信機２２及びモデム２６はそれぞれ、シリアルバス２９でのデータ伝送を容易にするためにシリアルバスインターフェイス３７、３９を含んでよい。
【００３２】
受信されたパケットと関連したベースバンド信号を受信すると、モデム２６はその信号をディジタル表現（ディジタルベースバンド信号と呼ばれる）に変換する。特に、アナログ−ディジタル（Ａ／Ｄ）変換器４０は受信されたアナログベースバンド信号をサンプルし（ｓａｍｐｌｅｓ）、対応するディジタルベースバンド信号を生成する。細かいＤＣ除去ユニット４２はディジタルベースバンド信号から残留ＤＣを取り除くためにＤＣ除去ループを実現する。さらに、粗いＤＣ推定器４４はベースバンド信号に関連した残留ＤＣオフセットを推定する。ディジタルベースバンド信号から残留ＤＣを取り除いた後、細かいＤＣ除去ユニット４２はディジタルベースバンド信号をディジタル可変利得増幅器（ＤＶＧＡ）４６へ送る。ＤＶＧＡ４６はディジタルの値を大きくすること或いは小さくすることによるいずれかでディジタルベースバンド信号を調整するために使用できる。例えば、ＤＶＧＡは様々な利得状態の実現の代わりに、或いはそれに追加して実現されてよい。ディジタルベースバンド信号を調整した後、次にＤＶＧＡ４６は復調及びデータ抽出のために調整されたディジタルベースバンド信号を復調ユニット４８へ送る。
【００３３】
粗いＤＣ推定器４４は受信されたベースバンド信号に関連した残留ＤＣオフセットの値を推定するために実現される。言及したように、細かいＤＣ除去ユニット４２はまた残留ＤＣオフセットの値を推定し、ディジタルベースバンド信号から残留ＤＣを取り除くためにその推定を用いる。対照的に、粗いＤＣ推定器４４は残留ＤＣオフセットの値を推定し、受信機２２の粗いＤＣ除去ユニット３６に保持されているＤＣ除去の値を更新するためにその推定を用いる。このように、粗いＤＣ推定器４４はそのために推定が行われるディジタルベースバンド信号に影響を及ぼさないだろう。そのかわり、粗いＤＣ推定器４４は粗いＤＣ除去ユニット３６に保持されているＤＣ除去の値を調節し、その後受信されるパケットに関連したベースバンド信号から除去されるＤＣ成分はより適切になるだろう。
【００３４】
例えば、いくつかの場合、最初のパケットを受信した時点で粗いＤＣ除去ユニット３６はパケットが処理されることを保証するのに十分なＤＣを取り除かないだろう。その場合、残留ＤＣが大きすぎるならば、Ａ／Ｄ変換器４０は飽和する（ｓａｔｕｒａｔｅ）かもしれなく、それゆえディジタルベースバンド信号を壊してしまう。ディジタルベースバンド信号のその後の処理は、例えば復調中にエラーを生ずるだろう。それゆえ、ＷＣＤ１０はそのパケットの送信装置に対して受領通知を返さないだろう。そしてその送信装置は受領通知されるまで送信する枠組みに従って別の複製のコピーを送信するだろう。
【００３５】
そのうえ、以前に受信されたパケットの複製のコピーが受信機２２によって受信され処理されるときに粗いＤＣ推定器４４は残留ＤＣを推定し、そして粗いＤＣ除去ユニット３６に保持されているＤＣの値を調節したので、粗いＤＣ除去ユニット３６は十分なＤＣを取り除く可能性がより高くなり、Ａ／Ｄ変換器４０を飽和させることなくパケットが処理されることを保証する。いくつかの場合、Ａ／Ｄ変換器４０を飽和させることなくパケットが処理されることを可能にする範囲内に粗いＤＣの値がなるまで同じパケットが複数回受信される必要があるかもしれない。それにもかかわらず、“受領通知されるまで再送する”枠組みは、粗いＤＣの値が受け入れられるまでパケットが送信され続けることを保証しなければならない。殆どの場合、粗いＤＣの値は素早く許容値に収束しパケットは素早く効率的に処理されるだろう。
【００３６】
モデム２６はまた、現在の利得状態が十分かどうか評価するために一つ或いはそれ以上の電力検出技術を実行してよい。その場合、利得状態を設定或いは調節するために信号がモデム２６から受信機２２へ送られるのと同じ時に受信機２２に局所的に保持されたＤＣオフセットの値の更新がなされてよい。
【００３７】
図４は細かいＤＣ除去ユニット４２及び粗いＤＣ推定器４４の例示的な実現のより詳細なブロック図である。示されるように、細かいＤＣ除去ユニット４２はＡ／Ｄ変換器４０（図３）からディジタルベースバンド信号を１０ビット値の形式で受け取る。他のサイズのＡ／Ｄ変換器もまた使用されてかまわない。残留ＤＣの除去ループはディジタルベースバンド信号から残留ＤＣ成分を取り除くために細かいＤＣ除去ユニット４２の中で実現される。例えば、示されるように、１０ビットの値はシフトされ（ｓｈｉｆｔｅｄ）（５０）、調整され（ｓｃａｌｅｄ）（５４）そして累積され（５６）ることができ、ベースバンド信号の残留ＤＣの進行中の推定値を提供する。残留ＤＣオフセットの値は累算器５６で保持され累算される。そして、残留ＤＣオフセットの累算された推定値は丸められ（ｒｏｕｎｄｅｄ）（５８）、加算器６０で示されるようにディジタルベースバンド信号のその後の１０ビットの値から取り除くことができる。言い換えると、累算器５６は残留ＤＣオフセットの補正値を保持し、それはディジタルベースバンド信号からＤＣを取り除くために使用される。
【００３８】
残留ＤＣオフセットの補正値は通常はループの繰り返しの後に正しいＤＣ補正値に収束する。ＤＣ成分のより大きな部分が取り除かれると、ベースバンド信号は振幅ゼロの周りを変調するだろう。それゆえ、信号振幅を累算し、ループのそれぞれの繰り返しで累算された振幅を取り除くことによって、図４に示されるようにベースバンド信号から残留ＤＣを取り除くことが出来る。
【００３９】
残留ループの利得（Ｋ）はループの望まれる動作に基づいて選択することが出来る。例えば、約２（−３）のオーダー（ｏｒｄｅｒ）のＫのような比較的大きな値のＫは、例えば約１０μｓｅｃ以下のループの大変速い収束を生じ得る。Ｋの値が増えるに従って、ループの収束に関連した時定数もまた増加するだろうが、復調後の実際の信号対雑音比は改善されるだろう。従って、Ｋの値はこれらのオフセットとなる（ｏｆｆｓｅｔｔｉｎｇ）要因を考慮に入れて選択され或いは規定されてよい。
【００４０】
いくつかの場合、２０μｓｅｃのオーダーでのループの素早い収束を保証するためにＲＦトレーニング間隔の間約２（−３）のＫの値のように、比較的大きくＫが最初に設定されてもよい。次にＫは、ＲＦトレーニング間隔の後約２（−５）或いは約２（−９）のような比較的小さな利得の値へと変更されてよい。このように、ループの素早い収束に関連した利益と復調後の減らされた実際の信号対雑音の両方が実現されるだろう。
【００４１】
細かいＤＣ除去ユニット４２内の残留ＤＣの補正ループの収束に引き続くある時点で、制御ユニット２４（図２）は粗いＤＣ推定器４４内の粗いＤＣの推定ループを作動させてよい。例えば、制御ユニット２４は粗いＤＣ推定器４４による残留ＤＣオフセットの推定を作動する粗いループ作動信号（ｃｏａｒｓｅ＿ｅｎ）を送ってよい。粗いＤＣ推定器内の粗いＤＣの推定ループは細かいＤＣ除去ユニット４２内の残留ＤＣの推定ループに類似の動作をするだろう。例えば、示されるように、細かいＤＣ除去ユニット４２から受け取った値からの１０ビットの残留ＤＣの推定値はシフトされ（６４）、増幅され（６６）、そして累算されることが可能で、残留ＤＣの進行中の推定値を提供する。示された実現では、別々の累算器６８、７０、７２が３つの可能な利得状態のそれぞれに対して提供される。上述したように、制御ユニット２４はモデム２６内に実現されてもよいし、或いは図２で示されるように別個の構成要素であってもよい。
【００４２】
いくつの利得状態、そしてそれゆえいくつの累算器が使用されてもよい。しかしながら、図４に示されるように、複数の利得状態がサポートされる場合、現在の利得状態に関連した累算器は粗いＤＣの推定ループの一部を形成するように作動することが出来る。言い換えると、制御ユニット２４（図２）は累算器作動信号（Ｇ１＿ｅｎ，Ｇ２＿ｅｎ，Ｇ３＿ｅｎ）を介して適切な累算器を作動することができる。それゆえ、ＤＣオフセットに対する推定値は処理されている現在のベースバンド信号と関連した特定の利得状態に対して累積させることが出来る。多重化器７４は適切な累算器を選択するために実現することができる。例えば、制御ユニット２４（図２）は３つの累算器のどれが作動させられているか示すために多重化器７４に利得状態選択信号（Ｇｓｔａｔｅ＿ｓｅｌｅｃｔ）を供給することが出来る。そして多重化器７４の出力は、以下に説明されるように粗いＤＣ除去ユニット３６を更新する前に丸めるられ得る。
【００４３】
以下に概説されるように、粗いＤＣの推定ループの利得（Ｍ）は、ループの望まれる動作、及び粗いＤＣ除去ユニット３６で使用されるＤＣディジタル−アナログ変換器（ＤＣ  ＤＡＣ）の動作パラメータに基づいて選択することができる。典型的には、Ｍは約１と２（−５）の間の値を有してよい。例えば、約２（−３）のオーダーのＭの値は殆どの状況に対して適切であろう。
【００４４】
粗いＤＣ推定器４４は受信されたベースバンド信号に関連した残留ＤＣオフセットを推定し、粗いＤＣ除去ユニット３６（図３）を更新し、その結果、その後受信されるパケットに関連したその後受信されるベースバンド信号は受信機２２によって適切な量のＤＣを取り除かれるだろう。再び、示された例において、粗いＤＣ推定器４４は特に複数の利得状態の選択された１つに対してＤＣ推定値を累算する。この累算過程はパケットが細かいＤＣ除去ユニット４２からＤＶＧＡ４６及び復調ユニット４８に完全に送られるまで継続してよい。その時点で、制御ユニット２４（図２）は、粗いＤＣ推定器４４にＤＣ更新信号（ＤＣ＿ｕｐｄａｔｅ）を供給するなどして、粗いＤＣ推定器４４が粗いＤＣ除去ユニット３６（図３）を更新することを可能にしてよい。次に、粗いＤＣ除去ユニット３６はシリアルバス２９を介して粗いＤＣ推定器４４に更新情報（ｕｐｄａｔｅ）を送ることができる。他の実施では、それぞれの累算器はそれ自身の個別（ｄｅｄｉｃａｔｅｄ）シリアルバスを有してよい。しかしながら、全ての累算器に対して同じシリアルバスを用いる実施は回路に対してかなりの資産を節約できる。さらに他の場合、全て利得状態に対するＤＣオフセットの値は各パケットを処理するときに更新されてよい。
【００４５】
図５は、図４で示された粗いＤＣ推定器４４から更新情報を受け取ることができる粗いＤＣ除去ユニット３６の例示的な実現のより詳細なブロック図である。特に、粗いＤＣ除去ユニット３６は、処理されているそれぞれのベースバンド信号に関連した異なる利得状態に対する更新されたオフセット値を周期的に受け取ってよい。例えば、粗いＤＣ除去ユニット３６はシリアルバス２９を介して粗いＤＣ推定器４４から更新情報を受け取ってよい。制御ユニット２４は受信された更新情報（Ｇｓｔａｔｅ＿ｓｅｌｅｃｔ）に関連した利得状態を示す信号を供給してよく、その結果多重化器８０は適切な利得状態に関連した適切な局所メモリにその更新情報を選択して送ることができる。言い換えれば、ＤＣ除去ユニット３６は複数の利得状態のそれぞれに対して別々のＤＣオフセットの値を維持してよい。例えば、第１の利得状態８２に対してあるＤＣの値、第２の利得状態８４に対してあるＤＣの値、第２の利得状態８６に対してあるＤＣの値、等を保持するためにメモリは割り当てられてよい。これらの保持された値は粗いＤＣ推定器４４によって供給されるようなディジタル値であってよい。また、いくつかの場合、一つ或いはそれ以上の電力推定値に従って利得状態を制御ユニット２４或いはモデム２６が更新或いは調節するのと同時に受信機２２の粗いＤＣ除去ユニット３６に更新情報が提供されてよい。
【００４６】
パケットが受信機２２によって受信されミキサをかけられてベースバンド信号まで落とされるとき、ＤＣオフセットの値はメモリ８２、８４、８６に局所的に保持されているので受信機２２はＤＣ除去を大変素早く実行することができる。さらに、保持されたＤＣオフセットの値は、モデム２６内の粗いＤＣ推定器４４によってなされた推定値、或いは最近受信されたパケットに対応してよい。メモリ８２、８４、８６に局所的に保持されるＤＣオフセットの値は、パケットがアナログ−ディジタル変換器４０を飽和しないで処理されることを保証するような値に収束するべきである。
【００４７】
ＤＣディジタル−アナログ変換器（ＤＣ  ＤＡＣ）９０を実現することによって、受信機２２内のアナログベースバンド信号からＤＣを取り除くことができる。特に、受信されたパケットに関連したアナログベースバンド信号がミキサ３４によって生成され、粗いＤＣ除去ユニット３６（図３）に送られると、制御ユニット２４（図２）はＧｓｔａｔｅ＿ｓｅｌｅｃｔ制御信号を多重化器８９に送る。多重化器８９は、利得状態によって決定された、適切なＤＣオフセットの値を選択してＤＣ  ＤＡＣ９０に送る。ＤＣ  ＤＡＣ９０はディジタルのＤＣオフセットの値をＤＣオフセットのアナログ表現へ変換する。次にＤＣ  ＤＡＣ９０は差動増幅器９２を用いてＤＣオフセットのアナログ表現を適用する。差動増幅器９２はアナログ伝送線３１を介してモデム２６に受信されたベースバンド信号を送る前に受信されたベースバンド信号からＤＣオフセットを取り除く。重要なのは、ＤＣオフセットの情報は受信機２２で局所的に保持されて更新されるので、いくつかのＷＬＡＮシステムによって要求されるようにＤＣ除去は大変素早く実行され得る。従って、パケットを受信して利得状態を選択すると、選択された利得状態に関連した保持されたＤＣの値を単に呼び出すだけで受信機２２においてただちにＤＣ除去を実行することができる。
【００４８】
図６はパケット毎の原則に基づいてベースバンド信号からＤＣ成分を取り除くＤＣ除去技術の一つの実現を示すフロー（ｆｌｏｗ）図である。示されるように、パケットが受信される（１０２の“はい”の枝）と、受信機２２はパケットと関連した一つ或いはそれ以上のベースバンド信号を生成する（１０３）。さらに受信機２２は、メモリに保持された粗いＤＣの値を呼び出すこと、粗いＤＣの値をアナログＤＣ信号に変換すること、そしてベースバンド信号から変換されたアナログ信号を引き去ることなどによってベースバンド信号からＤＣの量を取り除く（１０４）。受信機２２は次にベースバンド信号をモデム２６に送り、そこでベースバンド信号はディジタルのベースバンド信号に変換され（１０５）残留ＤＣは取り除かれる（１０６）。残留ＤＣを取り除くのに加えて、モデム２６は残留ＤＣを推定する（１０７）ので受信機に保持されている粗いＤＣの値はもっと後の時間に更新することができる。次にモデムはベースバンド信号を復調し（１０８）パケットがエラー無しに受信され処理されたかどうかを判断する。モデム２６がパケットに対してエラーを確認する（１０９の“はい”の枝）ならば、ＷＣＤ１０は送信装置に受領通知（ａｃｋｎｏｗｌｅｄｇｅｍｅｎｔ）を送らない（１１０）。その場合、送信装置はパケットを再送すべきである。しかしながら、モデム２６がエラーを確認しない場合、ＷＣＤ１０はパケットが受信されたことを示すために送信装置に受領通知を送る（１１１）。
【００４９】
言及したように、モデムが残留ＤＣを取り除いて（１０６）いるとき、それはまたＤＣオフセットを推定してもよい（１０７）。そして復調の後、モデム２６は受信機２２に更新された粗いＤＣの値を送る（１１２）。このように、その後のパケットが受信される（１０２の“はい”の枝）と、受信機２２はその後のパケットに対して一つ或いはそれ以上のベースバンド信号を生成し（１０３）、モデム２６によって与えられた更新された粗いＤＣの値に従ってベースバンド信号からＤＣの量を取り除く（１０４）。言い換えると、第１のパケットに関連したベースバンド信号の処理の間に推定された残留ＤＣは、第２のパケットに関連したその後のベースバンド信号が処理されるときに受信機２２によって取り除かれるだろう。同様に、第２のパケットに関連したベースバンド信号の処理の間に推定された残留ＤＣは、第３のパケットに関連したその後のベースバンド信号が処理されるときに受信機２２によって取り除かれるだろう、等。
【００５０】
いくつかの場合、特に受信機２２によって十分なＤＣが除去されなかったために、受信されたパケットに対してエラーが生ずるかもしれない（１０９の“はい”の枝）。しかしながら、その場合ＷＣＤ１０は受領通知を送らないだろう（１１０）。それゆえ、“受領通知されるまで再送する”枠組みのために、パケットのもう一つのコピーが近い将来に受信されるはずである。さらに、受信機２２に保持される粗いＤＣの値は更新される（１１２）ので、同じパケットのより後に受信されるコピーに関連したベースバンド信号からの粗いＤＣの除去は第２のコピーがエラーを生ずること無しに処理され得ることを保証するのに十分であるかもしれない。いくつかの場合、パケットがＡ／Ｄ変換器を飽和することなしに処理されることを可能にする範囲内に粗いＤＣの値がなるまで同じパケットが複数回受信される必要があるだろう。それにもかかわらす、“受領通知されるまで再送する”枠組みは粗いＤＣの値が受け入れられるまでパケットが送信され続けることを保証すべきである。重要なことに、受信機における粗いＤＣ除去はいくつかのＷＬＡＮシステムで求められるように大変素早く実行され得る。
【００５１】
ＤＣ除去を実行するための様々な技術がハードウェアで実現されているとして説明された。例であるハードウェアの実現は、ＤＳＰ、特定用途向け集積回路（ＡＳＩＣ）、フィールドプログラマブルゲートアレイ（ＦＰＧＡ）、プログラマブルロジックデバイス、特に設計されたハードウェア構成要素、或いはそれらの任意の組み合わせの中における実現を含んでよい。さらに、本発明の精神及び範囲から逸脱せずにさまざまな他の修正がなされてよい。従って、これら及び他の実施例は特許請求の範囲の範疇のなかにある。
【図面の簡単な説明】
【００５２】
【図１】無線通信装置（ＷＣＤ）がＤＣ除去技術を実現できる無線通信システムを示すブロック図である。
【図２】図１に描かれたＷＣＤのブロック図である。
【図３】図２に描かれたＷＣＤの受信機及びモデムのより詳細なブロック図である。
【図４】図３に描かれたモデムの一部を形成する細かいＤＣ除去ユニット及び粗いＤＣ推定器のより詳細なブロック図である。
【図５】図３に描かれた受信機の一部を形成する粗いＤＣ除去ユニットのより詳細なブロック図である。
【図６】ＷＣＤで実現され得るＤＣ除去技術を示すフロー図である。
【符号の説明】
【００５３】
２…無線通信システム、  ４…基地局、  ８Ａ−８Ｄ…無線信号、
９…音声データ、  ２０…アンテナ、  ２９…シリアルバス、  ３１…アナログ伝送線、
６０…加算器、  ７４、８０、８９…多重化器
【図１】
2005524272.tif 000003
【図２】
2005524272.tif 000004
【図３】
2005524272.tif 000005
【図４】
2005524272.tif 000006
【図５】
2005524272.tif 000007
【図６】
2005524272.tif 000008
【国際調査報告】
2005524272.tif 000009
2005524272.tif 000010
2005524272.tif 000011